(57)【要約】【課題】  継目部に紐材が侵入することを抑制し、さらに、紐材が継目部に侵入した場合には、紐材が第１櫛板具と第２櫛板具との間に挟み込まれることを抑制することができるコムプレート具を提供する。【解決手段】  コムプレート具は、マンコンベヤの乗降床の端部に配置されるコムプレート具において、第１横方向の内側に向けて突出する櫛歯を有し、互いの間で継目部を形成するように、第１横方向と直交する第２横方向に並列される第１櫛板具及び第２櫛板具を備え、継目部は、第１横方向の内側端部に配置され且つ第１櫛板具と第２櫛板具とが接合する接合部と、接合部の第１横方向の外側に連接される開口部と、を備え、接合部は、剛性を有する。【選択図】  図６
2020147436.tif 000002
【特許請求の範囲】
【請求項１】
マンコンベヤの乗降床の端部に配置されるコムプレート具において、
第１横方向の内側に向けて突出する櫛歯を有し、互いの間で継目部を形成するように、第１横方向と直交する第２横方向に並列される第１櫛板具及び第２櫛板具を備え、
前記継目部は、第１横方向の内側端部に配置され且つ前記第１櫛板具と前記第２櫛板具とが接合する接合部と、前記接合部の第１横方向の外側に連接される開口部と、を備え、
前記接合部は、剛性を有する、コムプレート具。
【請求項２】
前記継目部は、前記開口部の第２横方向の寸法を保持するために、前記第１櫛板具と前記第２櫛板具とが前記開口部よりも第１横方向の外側で接合する保持部を備える、請求項１に記載のコムプレート具。
【請求項３】
平板状に形成されるプレート体を備え、
前記プレート体は、前記第１櫛板具及び前記第２櫛板具を下方から支持する支持部を備え、
前記開口部は、少なくとも前記支持部まで延びる、請求項２に記載のコムプレート具。
【請求項４】
前記接合部の第１横方向の寸法は、前記開口部の第２横方向の寸法以下である、請求項１〜３の何れか１項に記載のコムプレート具。
【請求項５】
請求項１〜４の何れか１項に記載のコムプレート具を備える、マンコンベヤ。
【請求項６】
請求項１〜４の何れか１項に記載のコムプレート具の前記第１櫛板具及び前記第２櫛板具の少なくとも一方に用いられる、櫛板具。
【発明の詳細な説明】
【技術分野】
【０００１】
本発明は、コムプレート具、マンコンベヤ及び櫛板具に関する。
【背景技術】
【０００２】
従来、例えば、コムプレート具は、第１横方向の内側に向けて突出する櫛歯を有する第１櫛板具及び第２櫛板具を備えている（例えば、特許文献１及び２）。そして、第１櫛板具及び第２櫛板具は、第１横方向と直交する第２横方向に並列されている。これにより、第１櫛板具及び第２櫛板具の間に、第１横方向に沿って延びる継目部が形成されている。
【０００３】
特許文献１に係るコムプレート具においては、継目部は、第１横方向の内側端部に配置され且つ第１櫛板具と第２櫛板具とが接合する接合部を備えている。しかしながら、接合部は、弾性又は軟性を有しているため、紐材が継目部に侵入する場合がある。
【０００４】
また、特許文献２に係るコムプレート具は、櫛歯間の凹部に、第１横方向の内側に突出する突起を備えている。しかしながら、紐材が継目部に侵入した場合には、紐材は、第１櫛板具と第２櫛板具との間に、挟み込まれる。これにより、紐材を継目部から抜くことが困難になる。
【先行技術文献】
【特許文献】
【０００５】
【特許文献１】特開２０１７−１０５６１０号公報
【特許文献２】特開２００９−２８０３６０号公報
【発明の概要】
【発明が解決しようとする課題】
【０００６】
そこで、課題は、継目部に紐材が侵入することを抑制し、さらに、紐材が継目部に侵入した場合には、紐材が第１櫛板具と第２櫛板具との間に挟み込まれることを抑制することができるコムプレート具、マンコンベヤ及び櫛板具を提供することである。
【課題を解決するための手段】
【０００７】
コムプレート具は、マンコンベヤの乗降床の端部に配置されるコムプレート具において、第１横方向の内側に向けて突出する櫛歯を有し、互いの間で継目部を形成するように、第１横方向と直交する第２横方向に並列される第１櫛板具及び第２櫛板具を備え、前記継目部は、第１横方向の内側端部に配置され且つ前記第１櫛板具と前記第２櫛板具とが接合する接合部と、前記接合部の第１横方向の外側に連接される開口部と、を備え、前記接合部は、剛性を有する。
【０００８】
また、コムプレート具においては、前記継目部は、前記開口部の第２横方向の寸法を保持するために、前記第１櫛板具と前記第２櫛板具とが前記開口部よりも第１横方向の外側で接合する保持部を備える、という構成でもよい。
【０００９】
また、コムプレート具は、平板状に形成されるプレート体を備え、前記プレート体は、前記第１櫛板具及び前記第２櫛板具を下方から支持する支持部を備え、前記開口部は、少なくとも前記支持部まで延びる、という構成でもよい。
【００１０】
また、コムプレート具においては、前記接合部の第１横方向の寸法は、前記開口部の第２横方向の寸法以下である、という構成でもよい。
【００１１】
また、マンコンベヤは、前記のコムプレート具を備える。
【００１２】
また、櫛板具は、前記のコムプレート具の前記第１櫛板具及び前記第２櫛板具の少なくとも一方に用いられる。
【図面の簡単な説明】
【００１３】
【図１】図１は、一実施形態に係るマンコンベヤの概要図である。
【図２】図２は、同実施形態に係るマンコンベヤの乗降部の平面図である。
【図３】図３は、同実施形態に係るコムプレート具の全体平面図である。
【図４】図４は、図３のIV−IV線拡大断面図である。
【図５】図５は、同実施形態に係るコムプレート具の要部平面図である。
【図６】図６は、同実施形態に係るコムプレート具の要部拡大平面図である。
【図７】図７は、図６のVII−VII線断面図である。
【図８】図８は、他の実施形態に係るコムプレート具の要部拡大平面図である。
【図９】図９は、図８のIX−IX線断面図である。
【発明を実施するための形態】
【００１４】
以下、マンコンベヤ、コムプレート具及び櫛板具における一実施形態について、図１〜図７を参照しながら説明する。なお、各図（図８及び図９も同様）において、図面の寸法比と実際の寸法比とは、必ずしも一致しておらず、また、各図面の間での寸法比も、必ずしも一致していない。
【００１５】
図１に示すように、本実施形態に係るマンコンベヤ１０は、躯体（例えば、梁）に設置される構造体１１と、人を第１横方向Ｄ１へ搬送する搬送部１２と、搬送部１２を第２横方向Ｄ２で挟むように配置される一対の欄干部１３，１３（図１においては、一つのみを図示している）とを備えている。また、マンコンベヤ１０は、搬送部１２及び欄干部１３を駆動させる駆動部１４を備えている。
【００１６】
図１において、第１横方向Ｄ１は、水平方向と平行な方向であって、前後方向Ｄ１といい、第２横方向Ｄ２は、水平方向と平行な方向で且つ第１横方向Ｄ１と直交する方向であって、幅方向Ｄ２といい、第３方向Ｄ３は、鉛直方向と平行な方向であって、上下方向Ｄ３という。なお、第１横方向Ｄ１において、内側は、マンコンベヤ１０の第１横方向Ｄ１の中心に近い側となり、外側は、マンコンベヤ１０の第１横方向Ｄ１の中心から遠い側となる。
【００１７】
また、本実施形態に係るマンコンベヤ１０は、人を搬送するために、踏面が階段状になるエスカレータであるが、斯かる構成に限られない。例えば、マンコンベヤ１０は、人を搬送するために、踏面が平面状となる移動歩道（動く歩道）であってもよい。
【００１８】
搬送部１２は、駆動部１４に駆動されることによって無端回転する環状の走行部（例えば、チェーン）１２ａと、走行部１２ａに対して回転可能に接続され、人が乗る踏面を有する複数のステップ１２ｂとを備えている。走行部１２ａは、第２横方向Ｄ２に離れて一対設けられている（図１においては、一つのみ図示している）。そして、複数のステップ１２ｂは、一対の走行部１２ａ，１２ａの間に配置され、それぞれの走行部１２ａに対して回転可能に接続されている。
【００１９】
欄干部１３は、駆動部１４に駆動されることによって無端回転する環状の手摺ベルト１３ａと、手摺ベルト１３ａを支持するベルト支持部１３ｂとを備えている。また、欄干部１３は、ベルト支持部１３ｂの下部を覆うカバー部１３ｃを備えている。
【００２０】
駆動部１４は、ステップ１２ｂが反転するように、走行部１２ａが巻き掛けられる一対の回転部（例えば、スプロケット）１４ａ，１４ａと、回転部１４ａを回転させる駆動源（例えば、モータ）１４ｂとを備えている。なお、回転部１４ａは、構造体１１に回転可能に接続されている。
【００２１】
構造体１１は、各構成１２〜１４を支持している。また、構造体１１は、第１横方向Ｄ１のそれぞれの端部に、機械室１１ａ，１１ａを備えている。具体的には、構造体１１は、マンコンベヤ１０の各乗降部１０ａの下方に、機械室１１ａ，１１ａを備えている。また、マンコンベヤ１０は、各乗降部１０ａの床を構成する乗降床１５を備えている。乗降床１５は、各機械室１１ａ，１１ａを上方から覆うように、構造体１１の上に設置されている。
【００２２】
乗降床１５は、乗降部１０ａの床を構成するために、図２に示すように、構造体１１の上に設置される複数の床プレート具１５ａを備えている。なお、床プレート具１５ａの個数は、特に限定されないが、本実施形態においては、三つとしている。また、乗降床１５は、第１横方向Ｄ１の内側端部に配置されるコムプレート具１を備えている。
【００２３】
床プレート具１５ａは、欄干部１３が設置されている状態において、構造体１１に対して着脱可能である一方で、コムプレート具１は、欄干部１３が設置されている状態において、構造体１１に対して着脱不能である（なお、後述する「櫛板具」は、着脱可能である）。したがって、マンコンベヤ１０を保守及び点検する際に、床プレート具１５ａは、構造体１１から取り外され、コムプレート具１は、構造体１１から取り外されない。
【００２４】
また、床プレート具１５ａは、例えば、ボルト及びナットのような固定材によって、構造体１１に固定されていない。即ち、各床プレート具１５ａは、単に、構造体１１の上に載せられているだけであって、自重によって、構造体１１の上に設置されている。なお、床プレート具１５ａは、固定材によって、構造体１１に不動に固定されていてもよい。
【００２５】
図３及び図４に示すように、コムプレート具１は、平板状に形成されるプレート体２と、プレート体２の第１横方向Ｄ１の内側端部に着脱可能な複数の櫛板具３と、櫛板具３をプレート体２に固定する固定具４とを備えている。なお、コムプレート具１は、ボルト及びナットのような固定材によって、構造体１１（図２参照）に不動に固定されている。
【００２６】
プレート体２は、平板状に形成される本体部２１と、本体部２１の第１横方向Ｄ１の内側端部に連接され、複数の櫛板具３を下方から支持する支持部２２とを備えている。なお、支持部２２の厚みは、本体部２１の厚みよりも、薄くなっている。
【００２７】
櫛板具３は、プレート体２の支持部２２に固定される板状のベース部３１と、ベース部３１から第１横方向Ｄ１の内側に向けて突出する複数の櫛歯３２とを備えている。複数の櫛歯３２は、ステップ１２ｂ（図２参照）の踏面の凹凸と、非接触状態で噛み合うように、第２横方向Ｄ２に並列されている。なお、櫛板具３の個数は、複数であれば、特に限定されないが、本実施形態においては、コムプレート具１は、櫛板具３を七つ備えている。また、櫛歯３２の個数は、特に限定されない。
【００２８】
固定具４は、特に限定されないが、本実施形態においては、雄ネジ材（例えば、ボルト）としている。そして、櫛板具３のベース部３１は、固定具４に挿入される孔部３３を備えており、プレート体２の支持部２２は、固定具４のネジ部４１と螺合するネジ部（雌ネジ）２３を備えている。これにより、固定具４の頭部４２がベース部３１を止めることによって、櫛板具３は、プレート体２に固定されている。
【００２９】
なお、プレート体２及び櫛板具３の材質は、特に限定されないが、プレート体２の強度は、櫛板具３の強度よりも、大きくなっていることが好ましい。これにより、例えば、プレート体２は、金属で形成されていてもよく、また、例えば、櫛板具３は、硬質樹脂で形成されていてもよい。
【００３０】
ここで、隣り合う二つの櫛板具３，３の間で形成される継目部５の構造について、図５〜図７を参照しながら説明する。以下、二つの櫛板具３，３は、区別される際に、それぞれ第１櫛板具３ａ及び第２櫛板具３ｂと呼ばれる。
【００３１】
図５〜図７に示すように、第１櫛板具３ａと第２櫛板具３ｂとが、第２横方向Ｄ２で並列されることによって、コムプレート具１は、第１櫛板具３ａと第２櫛板具３ｂとの間で、継目部５を形成している。なお、継目部５とは、第１櫛板具３ａと第２櫛板具３ｂとが接して形成される継目だけでなく、第１櫛板具３ａと第２櫛板具３ｂとの間に隙間を有して形成される継目も含む。
【００３２】
櫛板具３ａ，３ｂは、櫛歯３２，３２間に配置される凹部３４を備えている。図６及び図７に示すように、凹部３４は、第２横方向Ｄ２の中央に、上下方向Ｄ３視で第１横方向Ｄ１の最も外側に位置する底部３４ａと、底部３４ａよりも第２横方向Ｄ２の外側に配置される底側部３４ｂとを備えている。
【００３３】
底部３４ａは、上下方向Ｄ３視で、直線状であって、第２横方向Ｄ２に沿って延びている。また、底側部３４ｂは、上下方向Ｄ３視で、第２横方向Ｄ２の外側に行くにつれて第１横方向Ｄ１の内側へ向かうように、形成されている。なお、本実施形態においては、底側部３４ｂは、上下方向Ｄ３視で、曲線状であるが、直線状であってもよい。そして、底側部３４ｂの第２横方向Ｄ２の外側端（第１横方向Ｄ１の内側端）は、櫛歯３２の第２横方向Ｄ２の内側端（第１横方向Ｄ１の外側端）と連接されている。
【００３４】
継目部５は、第１横方向Ｄ１の内側端部に配置される接合部５１と、接合部５１の第１横方向Ｄ１の外側に連接される開口部５２とを備えている。また、継目部５は、開口部５２の形状を保持するために、開口部５２よりも第１横方向Ｄ１の外側に配置される保持部５３を備えている。
【００３５】
第１櫛板具３ａは、ベース部３１から第２櫛板具３ｂに向けて第２横方向Ｄ２に突出する凸部３５を備えており、第２櫛板具３ｂは、ベース部３１から第１櫛板具３ａに向けて第２横方向Ｄ２に突出する凸部３５を備えている。なお、凸部３５は、ベース部３１の、第１横方向Ｄ１の内側端部に配置されている。そして、各櫛板具３ａ，３ｂの凸部３５，３５同士が接合することによって、接合部５１は、構成されている。
【００３６】
接合部５１は、凹部３４の底部３４ａから、第１横方向Ｄ１の外側に向けて延びている。そして、接合部５１は、変形しないように、剛性を有している。これにより、接合部５１が紐材Ｘ１を止めるため、凹部３４に侵入した紐材Ｘ１が継目部５に侵入することを抑制することができる。
【００３７】
しかしながら、紐材Ｘ１が接合部５１に侵入する場合もある。そこで、接合部５１の第１横方向Ｄ１の寸法Ｗ１は、開口部５２の第２横方向Ｄ２の寸法Ｗ２以下であることが好ましい。これにより、接合部５１の第１横方向Ｄ１の寸法Ｗ１が小さいため、接合部５１に紐材Ｘ１が侵入した場合に、紐材Ｘ１が接合部５１を通過して開口部５２に侵入し易くなるため、紐材Ｘ１が接合部５１で挟まれることを抑制することができる。
【００３８】
なお、接合部５１の第１横方向Ｄ１の寸法Ｗ１及び開口部５２の第２横方向Ｄ２の寸法Ｗ２は、それぞれ特に限定されない。例えば、開口部５２の第２横方向Ｄ２の寸法Ｗ２は、紐材Ｘ１が開口部５２の内部を自由に移動できるように、１．５ｍｍ以上であることが好ましく、また、２．０ｍｍ以上であることがさらに好ましい。
【００３９】
したがって、継目部５に侵入した紐材Ｘ２が、開口部５２に侵入することによって、紐材Ｘ２が第１櫛板具３ａと第２櫛板具３ｂとの間に挟み込まれることを抑制することができる。これにより、紐材Ｘ２が開口部５２の内部を自由に移動できるため、紐材Ｘ２を開口部５２から抜くこともできる。
【００４０】
なお、第１櫛板具３ａは、ベース部３１に、第２横方向Ｄ２で凹む凹部３６を備えており、第２櫛板具３ｂは、ベース部３１に、第２横方向Ｄ２で凹む凹部３６を備えている。なお、凹部３６は、凸部３５の第１横方向Ｄ１の外側に連接されている。そして、開口部５２は、各櫛板具３ａ，３ｂの凹部３６，３６同士が結合することによって、構成されている。なお、開口部５２は、変形しないように、剛性を有している。
【００４１】
また、第１櫛板具３ａは、ベース部３１から第２櫛板具３ｂに向けて第２横方向Ｄ２に突出する突出部３７を備えており、第２櫛板具３ｂは、ベース部３１から第１櫛板具３ａに向けて第２横方向Ｄ２に突出する突出部３７を備えている。なお、突出部３７は、凹部３６の第１横方向Ｄ１の外側に連接されている。
【００４２】
そして、各櫛板具３ａ，３ｂの突出部３７，３７同士が接合することによって、保持部５３は、構成されている。これにより、開口部５２の第２横方向Ｄ２の寸法Ｗ２を保持することができるため、紐材Ｘ２が開口部５２の内部を自由に移動できる。なお、保持部５３は、変形しないように、剛性を有している。
【００４３】
ところで、開口部５２の内部の紐材Ｘ２が保持部５３に侵入した場合に、紐材Ｘ２が第１櫛板具３ａと第２櫛板具３ｂとの間に挟み込まれることになる。そこで、開口部５２は、プレート体２の支持部２２まで延びている。これにより、支持部２２は、保持部５３、具体的には、各櫛板具３ａ，３ｂの突出部３７，３７間を、下方から覆っている。
【００４４】
したがって、紐材Ｘ２が開口部５２から保持部５３に侵入しようとしても、支持部２２が紐材Ｘ２を止めるため、紐材Ｘ２が保持部５３に侵入することを阻止できる。このように、継目部５に紐材Ｘ１が侵入することを抑制し、さらに、紐材Ｘ２が継目部５に侵入した場合には、紐材Ｘ２が第１櫛板具３ａと第２櫛板具３ｂとの間に挟み込まれることを抑制することができる。
【００４５】
なお、上方側の乗降床１５のコムプレート具１について、説明したが、下方側の乗降床１５のコムプレート具１においても、継目部５が接合部５１及び開口部５２を備えている、という構成でもよい。即ち、一対の乗降床１５のコムプレート具１のうち、少なくとも一方において、継目部５が接合部５１及び開口部５２を備えている、という構成であればよい。
【００４６】
また、所定の隣り合う二つの櫛板具３ａ，３ｂについて、説明したが、全ての隣り合う二つの櫛板具３ａ，３ｂ間で形成される継目部５が、接合部５１及び開口部５２を備えている、という構成でもよい。即ち、複数の、隣り合う二つの櫛板具３ａ，３ｂのうち、少なくとも一つの、隣り合う二つの櫛板具３ａ，３ｂ間で形成される継目部５が、接合部５１及び開口部５２を備えている、という構成であればよい。
【００４７】
以上より、本実施形態に係るマンコンベヤ１０は、前記のコムプレート具１を備える。
【００４８】
そして、本実施形態に係るコムプレート具１は、マンコンベヤ１０の乗降床１５の端部に配置されるコムプレート具１において、第１横方向Ｄ１の内側に向けて突出する櫛歯３２を有し、互いの間で継目部５を形成するように、第１横方向Ｄ１と直交する第２横方向Ｄ２に並列される第１櫛板具３ａ及び第２櫛板具３ｂを備え、前記継目部５は、第１横方向Ｄ１の内側端部に配置され且つ前記第１櫛板具３ａと前記第２櫛板具３ｂとが接合する接合部５１と、前記接合部５１の第１横方向Ｄ１の外側に連接される開口部５２と、を備え、前記接合部５１は、剛性を有する。
【００４９】
そして、本実施形態に係る櫛板具３は、前記のコムプレート具１の前記第１櫛板具３ａ及び前記第２櫛板具３ｂの少なくとも一方に用いられる。
【００５０】
斯かる構成によれば、第１櫛板具３ａと第２櫛板具３ｂとが接合する接合部５１は、継目部５の第１横方向Ｄ１の内側端部に配置されている。そして、接合部５１が剛性を有しているため、継目部５に紐材Ｘ１が侵入することを抑制することができる。
【００５１】
また、開口部５２は、接合部５１の第１横方向Ｄ１の外側に連接されている。これにより、もし、紐材Ｘ１が接合部５１に侵入して接合部５１を通過した場合には、紐材Ｘ２は、開口部５２に侵入することになる。したがって、紐材Ｘ２が継目部５に侵入した場合には、紐材Ｘ２が第１櫛板具３ａと第２櫛板具３ｂとの間に挟み込まれることを抑制することができる。
【００５２】
また、本実施形態に係るコムプレート具１においては、前記継目部５は、前記開口部５２の第２横方向Ｄ２の寸法Ｗ２を保持するために、前記第１櫛板具３ａと前記第２櫛板具３ｂとが前記開口部５２よりも第１横方向Ｄ１の外側で接合する保持部５３を備える、という構成である。
【００５３】
斯かる構成によれば、開口部５２よりも第１横方向Ｄ１の外側に位置する保持部５３において、第１櫛板具３ａと第２櫛板具３ｂは、接合している。したがって、保持部５３によって、又は、接合部５１と保持部５３とが協働することによって、開口部５２の第２横方向Ｄ２の寸法Ｗ２が保持される。
【００５４】
また、本実施形態に係るコムプレート具１は、平板状に形成されるプレート体２を備え、前記プレート体２は、前記第１櫛板具３ａ及び前記第２櫛板具３ｂを下方から支持する支持部２２を備え、前記開口部５２は、少なくとも前記支持部２２まで延びる、という構成である。
【００５５】
斯かる構成によれば、支持部２２は、第１櫛板具３ａ及び第２櫛板具３ｂを下方から支持しており、開口部５２は、少なくとも支持部２２まで延びている。これにより、保持部５３が支持部２２に下方から覆われているため、紐材Ｘ２が開口部５２から保持部５３に侵入しようとした場合には、紐材Ｘ２は、支持部２２に止められる。したがって、紐材Ｘ２が開口部５２から保持部５３に侵入しようとすることを抑制することができる。
【００５６】
また、本実施形態に係るコムプレート具１においては、前記接合部５１の第１横方向Ｄ１の寸法Ｗ１は、前記開口部５２の第２横方向Ｄ２の寸法Ｗ２以下である、という構成である。
【００５７】
斯かる構成によれば、接合部５１の第１横方向Ｄ１の寸法Ｗ１が小さくなっている。これにより、接合部５１に紐材Ｘ１２侵入した場合に、紐材Ｘ２が接合部５１を通過して開口部５２に侵入し易くなるため、紐材Ｘ２が接合部５１で挟まれることを抑制することができる。
【００５８】
なお、マンコンベヤ１０、コムプレート具１及び櫛板具３は、上記した実施形態の構成に限定されるものではなく、また、上記した作用効果に限定されるものではない。また、マンコンベヤ１０、コムプレート具１及び櫛板具３は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５９】
（１）上記実施形態に係るコムプレート具１においては、第１櫛板具３ａ及び第２櫛板具３ｂのそれぞれが、凸部３５、凹部３６及び突出部３７を備えている、という構成である。しかしながら、コムプレート具１は、斯かる構成に限られない。例えば、図８及び図９に示すように、第１櫛板具３ａは、凸部３５、凹部３６及び突出部３７を備えており、第２櫛板具３ｂの第２横方向Ｄ２の端部は、平面状に形成されている、という構成でもよい。
【００６０】
図８及び図９に係るコムプレート具１においては、第１櫛板具３ａの凸部３５が第２櫛板具３ｂの端部と接合することによって、接合部５１が構成され、第１櫛板具３ａの突出部３７が第２櫛板具３ｂの端部と接合することによって、保持部５３が構成されている。そして、第１櫛板具３ａの凹部３６が第２櫛板具３ｂの端部から離れていることによって、開口部５２が構成されている。
【００６１】
（２）また、上記実施形態に係るコムプレート具１においては、継目部５は、開口部５２よりも第１横方向Ｄ１の外側に保持部５３を備えている、という構成である。しかしながら、コムプレート具１は、斯かる構成が好ましいものの、斯かる構成に限られない。例えば、継目部５は、保持部５３を備えていない、という構成でもよい。具体的には、継目部５は、接合部５１及び開口部５２のみから成り、開口部５２は、櫛板具３ａ，３ｂの第１横方向Ｄ１の外側端まで延びている、という構成でもよい。
【００６２】
（３）また、上記実施形態に係るコムプレート具１においては、開口部５２は、支持部２２まで延びている、という構成である。しかしながら、コムプレート具１は、斯かる構成が好ましいものの、斯かる構成に限られない。例えば、開口部５２は、支持部２２まで延びていない、という構成でもよい。
【００６３】
（４）また、上記実施形態に係るコムプレート具１においては、接合部５１の第１横方向Ｄ１の寸法Ｗ１は、開口部５２の第２横方向Ｄ２の寸法Ｗ２以下である、という構成である。しかしながら、コムプレート具１は、斯かる構成が好ましいものの、斯かる構成に限られない。例えば、接合部５１の第１横方向Ｄ１の寸法Ｗ１は、開口部５２の第２横方向Ｄ２の寸法Ｗ２よりも、大きい、という構成でもよい。また、例えば、接合部５１の第１横方向Ｄ１の寸法Ｗ１は、開口部５２の第２横方向Ｄ２の寸法Ｗ２よりも、小さい（開口部５２の第２横方向Ｄ２の寸法Ｗ２と同じを含まない）、という構成でもよい。
【００６４】
（５）また、上記実施形態に係るコムプレート具１においては、開口部５２は、剛性を有し、変形しない、という構成である。しかしながら、コムプレート具１は、斯かる構成に限られない。例えば、開口部５２は、第２横方向Ｄ２の寸法Ｗ２を大きくするために、変形可能である、という構成でもよい。
【００６５】
例えば、開口部５２の内周部は、弾性を有する、という構成でもよい。斯かる構成によれば、開口部５２の内周部が弾性変形することによって、開口部５２の第２横方向Ｄ２の寸法Ｗ２を変更することができる。また、例えば、開口部５２の内周部は、周辺よりも厚みが薄い脆弱部を備えている、という構成でもよい。斯かる構成によれば、脆弱部が破断することによって、開口部５２の第２横方向Ｄ２の寸法Ｗ２を変更することができる。
【００６６】
（６）また、上記実施形態に係るコムプレート具１においては、継目部５は、上下方向Ｄ３視において、底部３４ａから延びている、という構成である。しかしながら、コムプレート具１は、斯かる構成に限られない。例えば、継目部５は、上下方向Ｄ３視で、底部３４ａよりも第１横方向Ｄ１の内側（例えば、底側部３４ｂ、櫛歯３２）から延びる、という構成でもよい。
【００６７】
（７）また、上記実施形態に係るコムプレート具１においては、凹部３４は、底部３４ａと、底部３４ａの第２横方向Ｄ２の外側端に連接される底側部３４ｂとを備えている、という構成である。しかしながら、コムプレート具１は、斯かる構成に限られない。例えば、凹部３４は、底側部３４ｂを備えておらず、底部３４ａの第２横方向Ｄ２の外側端は、櫛歯３２に連接されている、という構成でもよい。
【００６８】
（８）また、上記実施形態に係るコムプレート具１においては、第１櫛板具３ａ及び第２櫛板具３ｂは、それぞれプレート体２に対して着脱可能である、という構成である。しかしながら、コムプレート具１は、斯かる構成に限られない。例えば、第１櫛板具３ａ及び第２櫛板具３ｂのうち、一方は、プレート体２に対して着脱可能であって、他方は、プレート体２に対して着脱不能である、という構成でもよい。
【符号の説明】
【００６９】
１…コムプレート具、２…プレート体、３…櫛板具、３ａ…第１櫛板具、３ｂ…第２櫛板具、４…固定具、５…継目部、１０…マンコンベヤ、１０ａ…乗降部、１１…構造体、１１ａ…機械室、１２…搬送部、１２ａ…走行部、１２ｂ…ステップ、１３…欄干部、１３ａ…手摺ベルト、１３ｂ…ベルト支持部、１３ｃ…カバー部、１４…駆動部、１４ａ…回転部、１４ｂ…駆動源、１５…乗降床、１５ａ…床プレート具、２１…本体部、２２…支持部、２３…ネジ部、３１…ベース部、３２…櫛歯、３３…孔部、３４…凹部、３４ａ…底部、３４ｂ…底側部、３５…凸部、３６…凹部、３７…突出部、４１…ネジ部、４２…頭部、５１…接合部、５２…開口部、５３…保持部、Ｄ１…第１横方向、Ｄ２…第２横方向、Ｄ３…上下方向、Ｘ１…紐材、Ｘ２…紐材
【図１】
2020147436.tif 000003
【図２】
2020147436.tif 000004
【図３】
2020147436.tif 000005
【図４】
2020147436.tif 000006
【図５】
2020147436.tif 000007
【図６】
2020147436.tif 000008
【図７】
2020147436.tif 000009
【図８】
2020147436.tif 000010
【図９】
2020147436.tif 000011